(57)【要約】 【課題】            手で持つ電動ドリル、螺子回し等を使用する際に開けた穴が斜めになってしまったり、螺子が斜めに刺さってしまったりする事がある。そのような作業においてそのような失敗を少なくするために穴を真直ぐに開けたり、螺子を真直ぐに刺したりする事ができるように補助するものであり、又、そのような作業をしやすくするものである。【解決手段】  手で持つ電動ドリル、螺子回し等に補助する器具を取り付ける事、そのような装置があらかじめ手で持つ電動ドリル、螺子回し等に付いているものを使用する事により、穴を真直ぐに開けたり、螺子を真直ぐに刺したりする事ができるようにする。【選択図】図１
2007190664.tif 000002
【特許請求の範囲】
【請求項１】
挟む部分をもつ電動ドリル、螺子回しの補助器。
【請求項２】
押してちじむ（又、中に電動ドリル、螺子回しが固定されている。）請求項１記載の電動ドリル、螺子回しの補助器。
【請求項３】
枠、筒の中に電動ドリル、螺子回しを固定する請求項１記載の電動ドリル、螺子回しの補助器。
【請求項４】
ネジを使用して固定する請求項１記載の電動ドリル、螺子回しの補助器。
【請求項５】
固定に使用するネジの先にゴム等滑り止めを取り付けた請求項１記載の電動ドリル、螺子回しの補助器。
【請求項６】
固定に使用するネジの先の板の角度が変わる請求項１記載の電動ドリル、螺子回しの補助器。
【請求項７】
固定に使用するネジの先にタイヤ部分を取り付けた請求項１記載の電動ドリル、螺子回しの補助器。
【請求項８】
固定する際に回すネジの先にボールを取り付けた請求項１記載の電動ドリル、螺子回しの補助器。
【請求項９】
目盛をもつ請求項１記載の電動ドリル、螺子回しの補助器。
【請求項１０】
目盛がスライドする請求項１記載の電動ドリル、螺子回しの補助器。
【請求項１１】
請求項１記載の電動ドリル、螺子回しの補助器が付いている電動ドリル、螺子回し。
【請求項１２】
取り付け部の筒の側面や枠の円等の一部が切れていて枠や筒の中を通すのではなく、はめる事ができるような形状になっている請求項１記載の電動ドリル、螺子回しの補助器。
【請求項１３】
固定する部分が二重、若しくはそれ以上になっている請求項１記載の電動ドリル、螺子回しの補助器。
【請求項１４】
電動ドリル、螺子回し等に固定する部分が伸びて位置の調節ができる請求項１記載の電動ドリル、螺子回しの補助器。
【請求項１５】
伸びちじみする長さの調節ができる請求項１記載の電動ドリル、螺子回しの補助器。
【請求項１６】
伸びちじみする長さの調節ができる請求項１記載の電動ドリル、螺子回しの補助器が付いている電動ドリル、螺子回し。
【請求項１７】
回転させる事ができる請求項１記載の電動ドリル、螺子回しの補助器。
【請求項１８】
回転させる事ができる請求項１記載の電動ドリル、螺子回しの補助器が付いている電動ドリル、螺子回し。
【請求項１９】
挟む部分に細かい針やスパイクが付いた請求項１記載の電動ドリル、螺子回しの補助器。
【請求項２０】
挟む部分に細かい針やスパイクが付いた請求項１記載の電動ドリル、螺子回しの補助器が付いている電動ドリル、螺子回し。
【発明の詳細な説明】
【技術分野】
【０００１】
本発明は、特願２００５−２４３３９６の手で持つ電動ドリル、螺子回し等に補助する器具を取り付ける事、あらかじめそのような装置が手で持つ電動ドリル、螺子回し等に付いている物で板の側面等のあてがうところが細いところに穴を開けたり、螺子を刺したりする際に、挟みつけるタイプのものを使用する事により穴を真直ぐに開けたり、螺子を真直ぐに刺したりする作業をしやすくするものである。
【背景技術】
【０００２】
日曜大工、DIY、その他の木材等に穴を開けたり、螺子をさしたり等をする作業をする際に電動ドリル、螺子回し等を使用する際に開けた穴が斜めになってしまったり、螺子が斜めに刺さってしまったりする事が多いものであった。
【発明の開示】
【発明が解決しようとする課題】
【０００３】
日曜大工、DIY、その他の木材等に穴を開けたり、螺子をさしたり等をする作業をする際の板等細いところに穴を開けたりする際に電動ドリル、螺子回し等を使用する際に開けた穴が斜めになってしまったり、螺子が斜めに刺さってしまったりしないようにする。
【課題を解決するための手段】
【０００４】
電動ドリル、螺子回し等に補助する器具を取り付ける事、あらかじめそのような装置が電動ドリル、螺子回し等に付いている物を使用する事により、穴を真直ぐに開けたり、螺子を真直ぐに刺したりする事ができるようにする。
【発明の効果】
【０００５】
日曜大工、DIY、その他の木材等に穴を開けたり、螺子をさしたり等をする作業をする際に電動ドリル、螺子回し等に補助する器具を取り付ける事、あらかじめそのような装置が電動ドリル、螺子回し等に付いている物を使用する事により、穴を真直ぐに開けたり、螺子を真直ぐに刺したりする事ができるようするものである。
【発明を実施するための最良の形態】
【０００６】
本発明は、特願２００５−２４３３９６の手で持つ電動ドリル、螺子回し等に補助する器具を取り付ける事、あらかじめそのような装置が手で持つ電動ドリル、螺子回し等に付いている物を使用する事により、穴を真直ぐに開けたり、螺子を真直ぐに刺したりする事ができるようにするもので板の側面等のあてがうところが細いところに穴を開けたり、螺子を刺したりする際に、挟みつけるタイプのものを使用する事によりそのような作業をしやすくするものである。
【０００７】
その器具についての図面をもちいて説明すれば、枠や筒等（図１−１）の中にドリル、ドライバーの部分等を入れ、固定するためのネジ等（図１−２）で固定し、穴を開ける板等を挟んで固定に使用するネジ等（図１−３）で固定してから押す事により、穴を真直ぐに開けたり、螺子を真直ぐに刺したりする事ができるようにするものである。
穴を開ける板等を挟みながら押す際に、バネ（特願２００５−２４３３９６の図１−３）がちじみながら押されるので真直ぐにドリルや螺子が刺さっているか確認しながら穴を真直ぐに開けたり、螺子を真直ぐに刺したりする事ができるようになる。
【０００８】
固定に使用するネジ等（図１−２）の先にボールやタイヤ等を付けたり、枠（特願２００５−２４３３９６の図１−５）を二重にしてベアリングを使えば、ドリル等の回転部分に取り付ける事も出来るようになる。また、固定に使用するネジ等の先にゴム等を取り付けたり、角度が変わる板の様にすれば便利である。又、棒（図１−４、図２−４、７）等に目盛をつけておけば、穴を開ける深さを確認できる。電動ドリル、螺子回し等に取り付ける部分を輪や筒を通すもの（特願２００５−２４３３９６の図１、図３）でなく上や横からはめられるようにしても良い（図１）。又、挟むところ等の長さを調節してバネを止め具等で適当な長さに固定できるようにする事によりさらに便利になる（特願２００５−２４３３９６の図３−８、９）。又、電動ドリル、螺子回し等に取り付ける部分の固定するためのネジ等（図１−２）は、２重、又はそれ以上にする事により、さらに安定したものになる（特願２００５−２４３３９６の図４）。挟んで固定する部分の輪（図２−５）を輪（図２−６）にはめ込んで、その輪（図２−５）を中で回転させる事ができるようにした輪（図２−６）の部分、若しくはその棒（図２−４）が手で持つ電動ドリル、螺子回し等に固定される部分（図１−１）の中にちじんでいくようにする事により、さらに便利なものとなる。
【図面の簡単な説明】
【０００９】
【図１】ドリル等補助器
【図２】ドリル等補助器
【符号の説明】
【００１０】
１  固定される部分
２  固定に使用するネジ
３  挟んで固定するネジ
４  棒
５  ６にはめ込む輪の部分
６  ５の輪をはめ込みちじむ部分
７  棒、板等
【図１】
2007190664.tif 000003
【図２】
2007190664.tif 000004
【手続補正書】
【提出日】平成18年3月3日(2006.3.3)
【手続補正１】
【補正対象書類名】明細書
【補正対象項目名】全文
【補正方法】変更
【補正の内容】
【発明の詳細な説明】
【技術分野】
【０００１】
本発明は、特願２００５−２４３３９６の手で持つ電動ドリル、螺子回し等に補助する器具を取り付ける事、あらかじめそのような装置が手で持つ電動ドリル、螺子回し等に付いている物で板の側面等のあてがうところが細いところに穴を開けたり、螺子を刺したりする際に、挟みつけるタイプのものを使用する事により穴を真直ぐに開けたり、螺子を真直ぐに刺したりする作業をしやすくするものである。
【背景技術】
【０００２】
日曜大工、DIY、その他の木材等に穴を開けたり、螺子をさしたり等をする作業をする際に電動ドリル、螺子回し等を使用する際に開けた穴が斜めになってしまったり、螺子が斜めに刺さってしまったりする事が多いものであった。
【発明の開示】
【発明が解決しようとする課題】
【０００３】
日曜大工、DIY、その他の木材等に穴を開けたり、螺子をさしたり等をする作業をする際の板等細いところに穴を開けたりする際に電動ドリル、螺子回し等を使用する際に開けた穴が斜めになってしまったり、螺子が斜めに刺さってしまったりしないようにする。
【課題を解決するための手段】
【０００４】
電動ドリル、螺子回し等に補助する器具を取り付ける事、あらかじめそのような装置が電動ドリル、螺子回し等に付いている物を使用する事により、穴を真直ぐに開けたり、螺子を真直ぐに刺したりする事ができるようにする。
【発明の効果】
【０００５】
日曜大工、DIY、その他の木材等に穴を開けたり、螺子をさしたり等をする作業をする際に電動ドリル、螺子回し等に補助する器具を取り付ける事、あらかじめそのような装置が電動ドリル、螺子回し等に付いている物を使用する事により、穴を真直ぐに開けたり、螺子を真直ぐに刺したりする事ができるようするものである。
【発明を実施するための最良の形態】
【０００６】
本発明は、特願２００５−２４３３９６の手で持つ電動ドリル、螺子回し等に補助する器具を取り付ける事、あらかじめそのような装置が手で持つ電動ドリル、螺子回し等に付いている物を使用する事により、穴を真直ぐに開けたり、螺子を真直ぐに刺したりする事ができるようにするもので板の側面等のあてがうところが細いところに穴を開けたり、螺子を刺したりする際に、挟みつけるタイプのものを使用する事によりそのような作業をしやすくするものである。    
【０００７】
その器具についての図面をもちいて説明すれば、枠や筒等（図１−１）の中にドリル、ドライバーの部分等を入れ、固定するためのネジ等（図１−２）で固定し、穴を開ける板等を挟んで固定に使用するネジ等（図１−３）で固定してから押す事により、穴を真直ぐに開けたり、螺子を真直ぐに刺したりする事ができるようにするものである。
穴を開ける板等を挟みながら押す際に、バネ（特願２００５−２４３３９６の図１−３、図２−３に示されるような）がちじみながら押されるので、その際に真直ぐにドリルや螺子が刺さっているか確認しながら穴を真直ぐに開けたり、螺子を真直ぐに刺したりする事ができるようになる。
【０００８】
固定に使用するネジ等（図１−２）の先にボールやタイヤ等を付けたり、枠（特願２００５−２４３３９６の図１−５）を二重にしてベアリングを使えば、ドリル等の回転部分に取り付ける事も出来るようになる。また、固定に使用するネジ等の先にゴム等を取り付けたり、角度が変わる板の様にすれば便利である。又、棒（図１−４）等に目盛をつけておけば、穴を開ける深さを確認できる。電動ドリル、螺子回し等に取り付ける部分を輪や筒を通すもの（特願２００５−２４３３９６の図１、図３）でなく上や横からはめられるようにしても良い（図１）。又、挟むところ等の長さを調節してバネを止め具等で適当な長さに固定できるようにする事によりさらに便利になる（特願２００５−２４３３９６の図３−８、９に示されるように）。又、電動ドリル、螺子回し等に取り付ける部分の固定するためのネジ等（図１−２）は、２重、又はそれ以上にする事により、さらに安定したものになる（特願２００５−２４３３９６の図４）。
又、深い穴をあける際に棒等を連結させて長くしたり短くしたりできるようにすると便利である。
【図面の簡単な説明】
【０００９】
【図１】ドリル等補助器
【符号の説明】
【００１０】
１  固定される部分
２  固定に使用するネジ
３  挟んで固定するネジ
４  棒、板等
【手続補正２】
【補正対象書類名】図面
【補正対象項目名】全図
【補正方法】変更
【補正の内容】
【図１】
2007190664.tif 000005
【手続補正３】
【補正対象書類名】特許請求の範囲
【補正対象項目名】全文
【補正方法】変更
【補正の内容】
【特許請求の範囲】
【請求項１】
挟む部分をもつ電動ドリル、螺子回しの補助器。
【請求項２】
押してちじむ請求項１記載の電動ドリル、螺子回しの補助器。
【請求項３】
枠、筒の中等に電動ドリル、螺子回しを固定して使用する請求項１記載の電動ドリル、螺子回しの補助器。
【請求項４】
ネジを使用して固定する請求項１記載の電動ドリル、螺子回しの補助器。
【請求項５】
固定に使用するネジの先にゴム等滑り止めを取り付けた請求項１記載の電動ドリル、螺子回しの補助器。
【請求項６】
固定に使用するネジの先の板の角度が変わる請求項１記載の電動ドリル、螺子回しの補助器。
【請求項７】
固定に使用するネジの先にタイヤ部分を取り付けた請求項１記載の電動ドリル、螺子回しの補助器。
【請求項８】
固定する際に回すネジの先にボールを取り付けた請求項１記載の電動ドリル、螺子回しの補助器。
【請求項９】
目盛をもつ請求項１記載の電動ドリル、螺子回しの補助器。
【請求項１０】
目盛がスライドする請求項１記載の電動ドリル、螺子回しの補助器。
【請求項１１】
請求項１記載の電動ドリル、螺子回しの補助器が付いている電動ドリル、螺子回し。
【請求項１２】
取り付け部の筒の側面や枠の円等の一部が切れていて枠や筒の中を通すのではなく、はめる事ができるような形状になっている請求項１記載の電動ドリル、螺子回しの補助器。
【請求項１３】
固定する部分が二重、若しくはそれ以上になっている請求項１記載の電動ドリル、螺子回しの補助器。
【請求項１４】
電動ドリル、螺子回し等に固定する部分が伸びて位置の調節ができる請求項１記載の電動ドリル、螺子回しの補助器。
【請求項１５】
伸びちじみする長さの調節ができる請求項１記載の電動ドリル、螺子回しの補助器。
【請求項１６】
伸びちじみする長さの調節ができる請求項１記載の電動ドリル、螺子回しの補助器が付いている電動ドリル、螺子回し。
【請求項１７】
挟む部分に細かい針やスパイクが付いた請求項１記載の電動ドリル、螺子回しの補助器。
【請求項１８】
挟む部分に細かい針やスパイクが付いた請求項１記載の電動ドリル、螺子回しの補助器が付いている電動ドリル、螺子回し。
【請求項１９】
連結させて長くしたり、それをはずして短くしたりする事ができる請求項1記載の電動ドリル、螺子回しの補助器。
【請求項２０】
連結させて長くしたり、それをはずして短くしたりする事ができる請求項1記載の電動ドリル、螺子回しの補助器が付いている電動ドリル、螺子回し。